(57)【要約】【課題】  従来のロールペーパーホルダーは、ロールペーパーを切るための切断部が設けられ、ロールペーパー引き出し部が張り出すなどしていた。また、ロールペーパー切断部が人膚を傷つけない摩擦抵抗体で形成されていても、引き出し方向が一方向のみに限定され、使用場所及び目的を問わずボックス型ティッシュペーパーと同等に使用できなかった。【解決手段】  ロールペーパー収納本体に、張り出し部及び切断部がない取り出し口を設けたロールペーパーホルダーにおいて、取り出し口に把持部摩擦体を設け、ロールペーパーを平面で把持することにより、ロールペーパーのミシン目で切り離すことができ、かつ、ロールペーパー本体側端部が、ロールペーパーの取り出し口把持部摩擦体に一部残ることで、次使用時の摘目とすることができる。また、構造も簡単であり、使用場所及び目的を問わない形状にすることができる。【選択図】図１
2007167597.tif 000002
【特許請求の範囲】
【請求項１】
ロールペーパーを収納する収納部本体は、使用場所を限定しない形状にし、前記収納部の内部は、ロールペーパー支持部を設け、前記収納部のロールペーパーの取り出し口は、ロールペーパーの厚みと幅に合わせ、０．０１ｍｍから５００ｍｍまでとし、ロールペーパーの平面を挟む状態で押圧し、把持する摩擦体を設け、前記摩擦体の長手方向の形状は、直線形、円弧形、放射線形などの二次曲線形からなる平面曲線形、螺旋形などの三次曲線形からなる空間曲線形、ギザギザ形、間隔を開ける形、直線形と曲線形が合体した形及びキャラクター商品形などであり、表面の形状は、横溝形、縦溝形、斜溝形、交差溝形、溝の形が角溝形、溝の形が丸溝形、波形、ギザギザ形、丸形の突起形、角形の突起形、丸形の穴形、角形の穴形、キャラクター商品形及び平ら形などであり、断面の形状は、円形、楕円形、三角形、四角形などの多角形、多角形の集合体形、円形の集合体形、楕円形の集合体形、三角形の集合体形、四角形の集合体形、キャラクター商品形及びキャラクター商品の集合体形などであり、前記同形、異形の組み合わせなどによりロールペーパー取り出し口の把持部摩擦体を構成することを特徴とするロールペーパーホルダーである。
【発明の詳細な説明】
【技術分野】
【０００１】  本発明は、トイレットペーパーなどミシン目が入っているロールペーパーを、ボックス型ティッシュペーパーのように場所を選ばず、簡単、便利に使用できるようにする技術に関する。
【背景技術】
【０００２】  従来の一般的なトイレットペーパーホルダーは、ロールペーパーを保持する保持部と、ロールペーパーを押圧する蓋体部で構成されており、片手で上蓋を押さえながら上蓋の端部のロールペーパー切断部で切断する構造を備え、壁面に取り付け、排便、排尿時に使用が限られており、トイレットペーパーをボックス型ティッシュペーパーと同等に使用できるものはほとんどなかった。
また、ロールペーパー端部の引き出し方向に張り出し部及び前記張り出し部の端部上方に向けられたカッター部を設け、片手で下方に引いて切断する構造も考案されている（例えば、特許文献１参照。）。
また、ロールペーパーの切断部材を人膚を傷つけない素材で形成し、ロールペーパーを下方へ引いて切断部に押しつけた摩擦抵抗でロールペーパーを切る構造も考案されている（例えば、特許文献２参照。）。
また、和光堂ボックスタイプのおしぼりウェッティーのようにロールペーパー取り出し口を絞り込んだタイプのものもある（例えば、非特許文献１参照。）。【０００３】
【特許文献１】特開２００４−２７５５３９号公報
【特許文献２】特開平８−５００号公報
【非特許文献１】「ＷＡＫＯＤＯ  商品ガイド、衛生用品」和光堂株式会社、ホームページｈｔｔｐ：／／ｗｗｗ．ｗａｋｏｄｏ．ｃｏ．ｊｐ
【発明の開示】
【発明が解決しようとする課題】
【０００４】  以上に述べた従来の構造には、次のような課題があった。従来は、ロールペーパーの切断部が、一方向にしか設けられていないため、一方向に引くことでロールペーパーを切断するが、設置場所によっては引き出し幅が短くなり、ロールペーパーを切断するには困難であった。これらは主に、壁面取り付け型を想定したものであり、玄関、居間及び台所など住宅の中、さらには車中及び屋外など使用場所及び目的を問わずボックス型ティッシュペーパーと同等に使用できなかった。【０００５】  また、ロールペーパーホルダーのロールペーパー引き出し部が張り出し、張り出し部端部上方に切断部が設けられているため、使用する場合に危険性があった。また、ロールペーパー切断部が人膚を傷つけない摩擦抵抗体で構成されていても、ロールペーパー引き出し部が張り出していることで、狭い場所で使用する場合など、人体の一部が接触する危険性があった。【０００６】  また、摩擦部が片面のみの切断部では、ロールペーパーと当接する箇所が、ロールペーパーに対し片面であるため、摩擦抵抗が半減し、ロールペーパーを切断する効率が悪く、かつ、ロールペーパーの引き出し方向を限定してしまうものであった。【０００７】  本発明は、このような従来の構造が有していた問題を解決しようとするものであり、トイレットペーパーなどミシン目が入っているロールペーパーを、使用場所及び目的を問わずボックス型ティッシュペーパーと同等に使用できるロールペーパーホルダーを提供することを目的とするものである。
【課題を解決するための手段】
【０００８】  本発明は、ロールペーパーを収納する収納部と、前記収納部の内部には、ロールペーパー支持部を設け、前記収納部本体に切断部及び張り出し部がないロールペーパー取り出し口を設け、前記取り出し口にロールペーパーの平面を挟む状態で押圧し、把持する摩擦体を設けたものである。【０００９】  上記の課題解決手段による作用は次の通りである。すなわち、ロールペーパーの取り出し口に、ロールペーパーの平面を両側から押圧し、把持する摩擦体を設けることで、ロールペーパーを引き出す力により、取り出し口に設けられた摩擦体とロールペーパーに摩擦力が発生し、ロールペーパーがミシン目より切り離され、ロールペーパー本体側端部が、摩擦体に一部残ることで、次使用時の摘目となる。また、把持部摩擦体がロールペーパーの平面を把持するため、ロールペーパーの空回り及び戻りを防止することもできる。【００１０】  また、張り出し部及び切断部を設けないため、ロールペーパー取り出し口を側面、上面及び下面などに設けることもできる。
【発明の効果】
【００１１】  上述したように本発明のロールペーパーホルダーは、引き出し方向を限定することなくロールペーパーを切り離すことができ、玄関、居間及び台所など住宅の中、さらには車中及び屋外など使用場所及び目的を問わずボックス型ティッシュペーパーと同等に使用できる。【００１２】  また、張り出し部及び切断部を設けないため、構造が簡単であり、かつ、安全で、故障も少なく、製造コストも安くでき、置型、吊り下げ型及び持ち運び型など使用場所を問わない形状にすることができる。【００１３】  また、ロールペーパーを収納部本体に納め、外から見えないようにすることで、美観を損なうことなく、場所を限定せずに使用することができる。【００１４】  さらに、ロールペーパーを使用目的としているため、トイレットペーパーのような再生紙を使用でき、このことは森林伐採を減少させ、環境破壊を軽減することにつながる。
【発明を実施するための最良の形態】
【００１５】  ロールペーパーを収納する収納部本体は、使用場所を限定しない形状にし、前記収納部の内部は、ロールペーパー支持部を設け、前記収納部のロールペーパーの取り出し口は、ロールペーパーの厚みと幅に合わせ、０．０１ｍｍから５００ｍｍまでとし、ロールペーパーの平面を挟む状態で押圧し把持する摩擦体を設ける。【００１６】  摩擦体の長手方向の形状は、直線形、円弧形、放射線形などの二次曲線形からなる平面曲線形、螺旋形などの三次曲線形からなる空間曲線形、ギザギザ形、間隔を開ける形、直線形と曲線形が合体した形及びキャラクター商品形などである。【００１７】  摩擦体の表面の形状は、横溝形、縦溝形、斜溝形、交差溝形、溝の形が角溝形、溝の形が丸溝形、波形、ギザギザ形、丸形の突起形、角形の突起形、丸形の穴形、角形の穴形、キャラクター商品形及び平ら形などである。【００１８】  摩擦体の断面の形状は、円形、楕円形、三角形、四角形などの多角形、多角形の集合体形、円形の集合体形、楕円形の集合体形、三角形の集合体形、四角形の集合体形、キャラクター商品形及びキャラクター商品の集合体形などである。【００１９】  上記の同形、異形の組み合わせなどにより、ロールペーパー取り出し口の把持部摩擦体を構成することを特徴とするロールペーパーホルダーである。【００２０】  以下、本発明の実施の形態を図面に示した実施例に基づいて説明する。【００２１】  図１は、本発明にかかるロールペーパーの収納部の実施例１を示した全体斜視図、図２は、ロールペーパー収納時の実施例１の斜視図、図３は、実施例１の実施作用を示す全体斜視図、図４、図５及び図６は、ロールペーパー収納部取り出し口の把持部摩擦体の設置例を示す長手方向に対して直角の断面図、図７の（ａ）から（ｉ）までは、本発明の把持部摩擦体の長手方向に対して直角の形状例を示す断面図、図８の（ａ）から（ｇ）までは、本発明の把持部摩擦体の長手方向に対して直角の形状例を示す断面図、図９の（ａ）から（ｈ）までは、本発明の把持部摩擦体の表面の形状例を示す図、図１０の（ａ）から（ｐ）までは、本発明の把持部摩擦体の長手方向の形状例を示す断面図、図１１の（ａ）から（ｏ）までは、本発明の把持部摩擦体の長手方向の形状例を示す断面図である。【００２２】  本発明のロールペーパーホルダー収納部は、図１に示すように、ロールペーパー１を収納する収納部２、開閉できる蓋３、収納部２内側の側面両側に設置されたロールペーパー１を支持する支持部７、ロールペーパー１を支持する支持棒６、ロールペーパー取り出し口の把持部摩擦体４及び把持部摩擦体５で主要部が構成されている。【００２３】  収納部の主要素材は、主に樹脂製により形成されるが、木、紙及びステンレス、アルミなどの金属で形成することも可能で、本発明はこれに限定されるものではない。【００２４】  図２において、ロールペーパー取り出し口９には、ロールペーパーを切断する部材などを用いず、図４で示すように、ロールペーパーを平面で挟む状態で押圧する把持部摩擦体４及び把持部摩擦体５を用いる。【００２５】  ロールペーパー取り出し口の把持部摩擦体４及び把持部摩擦体５の隙間は、接触状態の０ｍｍから５０ｍｍまでの範囲で、ロールペ��パーを的確に把持できるよう調整する。尚、錘、バネ、留め具及びヒンジなどの活用により、可動性をもたせることで、把持部摩擦体４及び把持部摩擦体５の押圧を適度に調整することもできる。【００２６】  上記把持部摩擦体４及び把持部摩擦体５は、ロールペーパー取り出し口長手方向に、一部または全幅にわたり取り付けてあり、摩擦体部材は、人膚を傷つけないゴム、ビニール、プラスチック及び木などのうち少なくとも一種類以上から形成される。【００２７】  また、図７の（ａ）から（ｉ）までは、本発明の把持部摩擦体の長手方向に対して直角の形状例を示す断面図、図８の（ａ）から（ｇ）までは、本発明の把持部摩擦体の長手方向に対して直角の形状例を示す断面図、図９の（ａ）から（ｈ）までは、本発明の把持部摩擦体の表面の形状例を示す図、図１０の（ａ）から（ｐ）までは、本発明の把持部摩擦体の長手方向の形状例を示す断面図、図１１の（ａ）から（ｏ）までは、本発明の把持部摩擦体の長手方向の形状例を示す断面図であり、前記同形、異形の組み合わせなどにより把持部摩擦体４及び把持部摩擦体５を構成するものである。【００２８】  また、図４及び図５に示すように、把持部摩擦体４及び把持部摩擦体５の構成は、通常はロールペーパー取り出し口９の、収納部２の端部２ａ及び蓋３の端部３ａに直接設置するが、本発明はこれに限らず収納部の形状によっては、図６に示すように、ロールペーパー取り出し口９の内側に設置してもよい。【００２９】  以下、本発明の実施例を図面を参照して詳細に説明する。
【実施例１】
【００３０】  図１に示すように、ロールペーパー１の芯に支持棒６を横架し、支持棒６の両端を収納体２の内側の側面両側に設置されたロールペーパー支持部７に嵌め込む。これによりロールペーパー１を回転自在に保持し、かつ、収納部２の取り出し口９からロールペーパー１を安定して水平に引き出すことができる。【００３１】  次に、ロールペーパーを収納部に収納後、図２に示すように、ロールペーパーの端部８を、収納部２の取り出し口９から取り出す摘目となるよう取り出し口９以降に引き出し、把持部摩擦体４に載置する。そして、ヒンジ１１により支持された蓋３を閉止することで、把持部摩擦体４及び把持部摩擦体５によりロールペーパーの平面を把持することができ、かつ、次使用時の摘目を確保できる。【００３２】  その後、図３に示すように、必要な長さを片手で引き出しながら、使用部分であるロールペーパー端部８ａのミシン目１０の箇所を、次使用時の摘目となるよう取り出し口９以降に引き出し、図４に示すように、把持部摩擦体４または把持部摩擦体５に押しつけることで、把持部摩擦体との摩擦抵抗により半固定または固定することができる。【００３３】  そして、把持部摩擦体４及び把持部摩擦体５の摩擦抵抗により半固定または固定し把持されている状態で、ロールペーパー１に引き出す力を加えていくことで、ロールペーパーのミシン目１０に力が加わり、ロールペーパー端部８と、使用部分であるロールペーパー端部８ａを、ミシン目１０で容易に切り離すことができる。ロールペーパーの引き出し方向については、上方、水平及び下方など限定することなく同等に作用する。【００３４】  また、空いている片方の手により収納部蓋３の中心部を軽く押さえることで、ロールペーパー１を把持部摩擦体４及び把持部摩擦体５に、より確実に半固定または固定し把持することもできる。
【実施例２】
【００３５】  本発明の実施例２の作用を図に参照して詳細に説明する。図１２は、本発明にかかるロールペーパーホルダーの実施例２の構造を示した斜視図、図１３及び図１４は、ロールペーパーの収納設置順を示した斜視図、図１５は、ロールペーパー収納時の斜視図、図１６、図１７及び図１８は、実施例２の作用例を示す図である。【００３６】  図１２に示すように、ロールペーパー１を収納する収納部２、ロールペーパー１を支持する支持棒６が一体となった蓋３、把持部摩擦体４及び把持部摩擦体５が取り付けてある取り出し口９を固定する留め具１２で、主要部が構成されている。【００３７】  まず、図１３に示すように、収納部２の取り出し口９の切り込みを少し広げ、次に、図１４に示すように、ロールペーパー１の端部８が摘目となるように、取り出し口把持部摩擦体４及び把持部摩擦体５に挟み込みながら入れる。さらに、固定具１２を嵌め込み、最後にロールペーパー１の芯に支持棒６を通しながら蓋３を嵌め込む。【００３８】  そして、図１６、図１７及び図１８に示すように、必要な長さを片手で引き出しながら、使用部分であるロールペーパー端部８ａのミシン目１０の箇所を、次使用時の摘目となるよう取り出し口９以降に引き出し、把持部摩擦体４及び把持部摩擦体５の摩擦抵抗により半固定または固定し把持されている状態で、ロールペーパー１に引き出す力を加えていくことで、ロールペーパー端部８ａのミシン目１０に力が加わり、容易に切り離すことができる。ロールペーパーの引き出す方向については、実施例１と同様に上方、水平及び下方など限定することなく同等に作用する。【００３９】  また、留め具１２において、バネ及びゴムなどの活用により可動性をもたせ、把持部摩擦体の把持する押圧を調整することもできる。【００４０】  図１６のように、蓋３と一体になった取っ手１３により、手に持って使用したり、図１７のように、縦置きにして使用することもできる。また、図１８に示すように、横置きにした場合、取っ手１３が支えとなりより安定する。【００４１】  なお、本発明は上記発明実施形態に限定されるものではなく、本発明の技術的思想に合致するものであれば、形状など適宜変更し実施することが可能である。
【図面の簡単な説明】
【００４２】
【図１】  本発明の実施例１の実施形態を示すロールペーパーホルダーの斜視図
【図２】  本発明の実施例１のロールペーパーホルダーの全体斜視図
【図３】  本発明の実施例１ロールペーパーホルダーの作用を示す斜視図
【図４】  本発明の把持部摩擦体の取り付け構造例を示す長手方向に対して直角の断面図
【図５】  本発明の把持部摩擦体の取り付け構造例を示す長手方向に対して直角の断面図
【図６】  本発明の把持部摩擦体の取り付け構造例を示す長手方向に対して直角の断面図
【図７】  本発明の把持部摩擦体の長手方向に対して直角の形状例を示す（ａ）から（ｉ）までの断面図
【図８】  本発明の把持部摩擦体の長手方向に対して直角の形状例を示す（ａ）から（ｇ）までの断面図
【図９】  本発明の把持部摩擦体の表面の形状例を示す（ａ）から（ｈ）までの図
【図１０】  本発明の把持部摩擦体長手方向の形状例を示す（ａ）から（ｐ）までの断面図
【図１１】  本発明の把持部摩擦体長手方向の形状例を示す（ａ）から（ｏ）までの断面図
【図１２】  本発明の実施例２のロールペーパーホルダーの構造を示す斜視図
【図１３】  本発明の実施例２のロールペーパー収納設置順を示す斜視図
【図１４】  本発明の実施例２のロールペーパー収納設置順を示す斜視図
【図１５】  本発明の実施例２のロールペーパーホルダーの全体斜視図
【図１６】  本発明の実施例２のロールペーパーホルダーの作用を示す斜視図
【図１７】  本発明の実施例２のロールペーパーホルダーの作用を示す斜視図
【図１８】  本発明の実施例２のロールペーパーホルダーの作用を示す斜視図
【符号の説明】
【００４３】    １    ロールペーパー
２    ロールペーパー収納体
２ａ  収納体端部
３    蓋体部
３ａ  蓋体端部
４    ロールペーパー取り出し口把持部摩擦体
５    ロールペーパー取り出し口把持部摩擦体
６    ロールペーパー支持棒
７    ロールペーパー支持部
８    ロールペーパー摘目
８ａ  ロールペーパー使用部
９    ロールペーパー取り出し口
１０  ロールペーパーミシン目
１１  蓋体ヒンジ部
１２  実施例２の取り出し口固定具
１３  実施例２の蓋体部取っ手
【図１】
2007167597.tif 000003
【図２】
2007167597.tif 000004
【図３】
2007167597.tif 000005
【図４】
2007167597.tif 000006
【図５】
2007167597.tif 000007
【図６】
2007167597.tif 000008
【図７】
2007167597.tif 000009
【図８】
2007167597.tif 000010
【図９】
2007167597.tif 000011
【図１０】
2007167597.tif 000012
【図１１】
2007167597.tif 000013
【図１２】
2007167597.tif 000014
【図１３】
2007167597.tif 000015
【図１４】
2007167597.tif 000016
【図１５】
2007167597.tif 000017
【図１６】
2007167597.tif 000018
【図１７】
2007167597.tif 000019
【図１８】
2007167597.tif 000020